(57)【要約】      （修正有）【課題】歯科医に計測スケールの明瞭な指示値を示すことができる、深さや角度計測を補助する計測スケール付き歯科用ハンドピースを提供する。【解決手段】計測スケール付き歯科用ハンドピース１は、ハンドピース本体部１０と、少なくとも一つの計測スケール２０と、を備え、ハンドピース本体部は、ハンドピースヘッド１０１と、連結部１０２と、保持部１０３と、を有し、連結部は、ハンドピースヘッドと保持部とを連結するものであり、ハンドピースヘッドの下部にはキャリブレーションヘッドが設けられ、さらに、ハンドピースヘッドの表面に計測スケールが設けられ、キャリブレーションヘッドは、ドリル１０４、または、光線を発する光源である。【選択図】図１Ａ
0003233684.tif 000002
【実用新案登録請求の範囲】
【請求項１】
ハンドピース本体部と、
少なくとも一つの計測スケールと、を備え、
前記ハンドピース本体部は、
ハンドピースヘッドと、
連結部と、
保持部と、を有し、前記連結部は、前記ハンドピースヘッドと保持部とを連結するものであり、
前記ハンドピースヘッドの下部にはキャリブレーションヘッドが設けられ、
さらに、前記ハンドピースヘッドの表面に前記計測スケールが設けられ、
前記キャリブレーションヘッドは、ドリル、または、光線を発する光源である
ことを特徴とする計測スケール付き歯科用ハンドピース。
【請求項２】
請求項１に記載の計測スケール付き歯科用ハンドピースにおいて、
前記計測スケールは、
少なくとも第１計測スケールと、第２計測スケールと、を有し、
前記第１計測スケールと前記第２計測スケールとは互いに直交する関係に配置されている
ことを特徴とする計測スケール付き歯科用ハンドピース。
【請求項３】
請求項２に記載の計測スケール付き歯科用ハンドピースにおいて、
前記ハンドピースヘッドは、その表面において、当該ハンドピースヘッドの周回りに配置されるガイドラインを有する
ことを特徴とする計測スケール付き歯科用ハンドピース。
【請求項４】
請求項３に記載の計測スケール付き歯科用ハンドピースにおいて、
前記ガイドラインは少なくとも一つの第１計測スケールに平行であり、かつ、少なくとも一つの第２計測スケールに直交するように配置されている
ことを特徴とする計測スケール付き歯科用ハンドピース。
【請求項５】
請求項１に記載の計測スケール付き歯科用ハンドピースにおいて、
前記ドリルは、その表面において、周回りに配置され、かつ、少なくとも一つの前記計測スケールに平行である一つ以上の第３スケールを有する
ことを特徴とする計測スケール付き歯科用ハンドピース。
【請求項６】
請求項２に記載の計測スケール付き歯科用ハンドピースにおいて、
少なくとも一つの前記第１計測スケールと少なくとも一つの前記第２計測スケールは、前記ハンドピースヘッドの表面において凸状に配置されている
ことを特徴とする計測スケール付き歯科用ハンドピース。
【請求項７】
請求項２に記載の計測スケール付き歯科用ハンドピースにおいて、
少なくとも一つの前記第１計測スケールと少なくとも一つの前記第２計測スケールは、前記ハンドピースヘッドの表面において凹状に配置されている
ことを特徴とする計測スケール付き歯科用ハンドピース。
【請求項８】
請求項１に記載の計測スケール付き歯科用ハンドピースにおいて、
さらに、補助計測スケールを備えており、
前記補助計測スケールは、前記ハンドピースヘッドと前記連結部との接続部から前記連結部の長さの１０％〜３０％の範囲において配置されている
ことを特徴とする計測スケール付き歯科用ハンドピース。
【請求項９】
請求項8に記載の計測スケール付き歯科用ハンドピースにおいて、
前記補助計測スケールは、１以上の第４計測スケールと１以上の第５計測スケールとを有し、
前記第４計測スケールと前記第５計測スケールとは互いに直交する関係に配置されている
ことを特徴とする計測スケール付き歯科用ハンドピース。
【請求項１０】
請求項１に記載の計測スケール付き歯科用ハンドピースにおいて、
前記光線は、人体に無害なものである
ことを特徴とする計測スケール付き歯科用ハンドピース。
【考案の詳細な説明】
【技術分野】
【０００１】
本考案は、深さあるいは角度計測を補助できる歯科用ハンドピースに関し、例えば、低速あるいは高速歯科用ハンドピース、レーザーあるいは超音波歯科用ハンドピース、研磨歯科用ハンドピースなど、歯の治療に使用される各種の歯科用ハンドピースに関し、ハンドピースヘッドに深さや角度計測可能となる計測スケールが付いているものである。
【背景技術】
【０００２】
インプラント歯科治療において、ドリルを付けた歯科用ハンドピースが患者の口腔内で歯槽骨の穴あけに使用される。
穴あけの際、歯科医は、第１に、患者の歯の状態を確認し、インプラントサイズや孔の深さを決定する。孔の深さは、インプラント設置の安定性に直結する問題であり、穴あけにあたっては、不適切なインプラント治療にならないように、孔の深さを慎重に観察しながらすすめることが必要である。現在、骨に穴あけするドリルは、深さを見極めるため、色分けのマークがされる。
【考案の概要】
【考案が解決しようとする課題】
【０００３】
しかしながら、歯科医が穴あけする際、孔の深さをみるための色分けスケールは血液や水をかぶってしまい、術中に歯科医が明瞭に視認することが困難となっている。それゆえ、手術リスクが高まり、これは歯科医にとって重圧でもある。そして、穴あけ術中において、歯科医は、孔深さを経験的な技量によって制御しなければならなくなる。
もしも、患者が骨粗鬆症の場合、穴あけの力はより高度の精確さで制御されることが要求されるが、従来のドリルでは孔が深すぎたり、逆に、孔が浅すぎたりする問題を引き起こしやすい。それゆえ、現在、上記問題を解消し、歯科インプラント治療の成功率を改善するように深さや角度計測の補助をできる歯科用ハンドピースが切望されている。
この点に鑑み、本考案者らは、多くの研究開発努力を行い、画期的着想により、現在の問題を新規技術的方法により改善することを希求し、社会に良質な製品を提供するのみならず、同時に産業発展ももたらすことを望むものである。
【０００４】
本考案の主たる目的は、深さあるいは角度計測を補助できる計測スケール付き歯科用ハンドピースを提供することにあり、これにより、歯科医に計測スケールの明瞭な指示値を提供し、穴あけ、研削、歯槽骨の穴あけ術中に穴あけが過剰や過小になる問題を回避し、歯科インプラントの安定を達成し、インプラントの不適切な処置により人体組織に損傷がおよぶような事態を回避するようにするものである。
【課題を解決するための手段】
【０００５】
上記目的の達成のため、
本考案は、計測スケール付き歯科用ハンドピースを提供するものであり、
本考案の計測スケール付き歯科用ハンドピースは、
ハンドピース本体部と、
少なくとも一つの計測スケールと、を備え、
前記ハンドピース本体部は、
ハンドピースヘッドと、
連結部と、
保持部と、を有し、前記連結部は、前記ハンドピースヘッドと保持部とを連結するものであり、
前記ハンドピースヘッドの下部にはキャリブレーションヘッドが設けられ、
さらに、前記ハンドピースヘッドの表面に前記計測スケールが設けられ、
前記キャリブレーションヘッドは、ドリル、または、光線を発する光源である。
【０００６】
また、少なくとも一つの計測スケールがハンドピースヘッドの表面に設けられている。
【０００７】
ある実施形態において、
前記計測スケールは、
少なくとも第１計測スケールと、第２計測スケールと、を有し、
前記第１計測スケールと前記第２計測スケールとは互いに直交する関係に配置されている。
【０００８】
ある実施形態において、
前記ハンドピースヘッドは、その表面において、当該ハンドピースヘッドの周回りに配置されるガイドラインを有する。
【０００９】
ある実施形態において、
前記ガイドラインは少なくとも一つの第１計測スケールに平行であり、かつ、少なくとも一つの第２計測スケールに直交するように配置されている。
【００１０】
ある実施形態において、
前記ドリルは、その表面において、周回りに配置され、かつ、少なくとも一つの前記計測スケールに平行である一つ以上の第３スケールを有する。
【００１１】
ある実施形態において、
少なくとも一つの前記第１計測スケールと少なくとも一つの前記第２計測スケールは、前記ハンドピースヘッドの表面において凸状に配置されている。
【００１２】
あるいは、
少なくとも一つの前記第１計測スケールと少なくとも一つの前記第２計測スケールは、前記ハンドピースヘッドの表面において凹状に配置されている。
【００１３】
ある実施形態において、
前記補助計測スケールは、前記ハンドピースヘッドと前記連結部との接続部から前記連結部の長さの１０％〜３０％の範囲において配置されている。
【００１４】
ある実施形態において、
前記補助計測スケールは、１以上の第４計測スケールと１以上の第５計測スケールとを有し、
前記第４計測スケールと前記第５計測スケールとは互いに直交する関係に配置されている。
【００１５】
ある実施形態において、
前記光線は、人体に無害なものである。
【図面の簡単な説明】
【００１６】
【図１Ａ】本考案の第１実施形態に係る計測スケール付き歯科用ハンドピースの模式的外観図である。
【図１Ｂ】本考案の第２実施形態に係る計測スケール付き歯科用ハンドピースの模式的外観図である。
【図２Ａ】本考案の第３実施形態に係る計測スケール付き歯科用ハンドピースの模式的外観図である。
【図２Ｂ】本考案の第４実施形態に係る計測スケール付き歯科用ハンドピースの模式的外観図である。
【図３Ａ】本考案の第５実施形態に係る計測スケール付き歯科用ハンドピースの模式的外観図である。
【図３Ｂ】本考案の第６実施形態に係る計測スケール付き歯科用ハンドピースの模式的外観図である。
【図４】本考案の第７実施形態に係る計測を補助する歯科用ハンドピースの一使用例を例示する図である。
【図５】本考案の第８実施形態に係る計測スケール付き歯科用ハンドピースの外観図である。
【図６Ａ】本考案の第９実施形態において、計測スケール付き歯科用ハンドピースの模式的な外観図である。
【図６Ｂ】本考案の第１０実施形態として、計測を補助する計測スケール付き歯科用ハンドピースの第１計測スケールの模式的な例示である。
【図７Ａ】本考案の第１１実施形態に係る計測スケール付き歯科用ハンドピースの上面図である。
【図７Ｂ】本考案の第１２実施形態に係る計測スケール付き歯科用ハンドピースの上面図である。
【考案を実施するための形態】
【００１７】
以下の詳細な説明において実施形態の詳細なる理解の助けのために多くの特定的な説明をなすが、これら特定的な説明事項に限定されずに本考案は実施できるものであり、また、よく知られた構造や装置については図の開示を見やすくするために模式的な記載とする。
【００１８】
図１Ａと図１Ｂを参照されたい。
図１Ａは、本考案の第１実施形態に係る計測スケール付き歯科用ハンドピースの模式的外観図である。
図１Ｂは、本考案の第２実施形態に係る計測スケール付き歯科用ハンドピースの模式的外観図である。
【００１９】
図１Ａ、図１Ｂに表れるように、本考案は、計測スケール付き歯科用ハンドピース１を提供するものであり、計測スケール付き歯科用ハンドピース１は、ハンドピース本体部１０と計測スケール２０とを備える。
ハンドピース本体部１０は、ハンドピースヘッド１０１と、連結部１０２と、保持部１０３と、を有し、ハンドピースヘッド１０１の下部にキャリブレーションヘッドが設けられている。
図１Ａにおいてキャリブレーションヘッドはドリル１０４であり、図１Ａにおいてキャリブレーションヘッドはドリル１０４であり、図１Ｂにおいてキャリブレーションヘッドは光線１０４'（または光線１０４'を発する光源）である。
連結部１０２は、ハンドピースヘッド１０１と保持部１０３とを連結するものである。さらに、図１Ａにおいて、計測スケール２０は、ハンドピースヘッド１０１の表面にあり、その方向はドリル１０４に平行である。また、図１Ｂにおいて、計測スケール２０は、ハンドピースヘッド１０１の表面にあり、その方向は、光線１０４'に平行である。
【００２０】
なお、計測スケール付き歯科用ハンドピース１に使用される光線は人体に無害で人体に適用可能なものであり、例えば、レーザー光、赤外線、可視光であってもよい。上記光線は例示であり、本件考案はそれらに限定されず、人体に適用可能なすべての光線が本考案に適用されうる。本考案における計測スケール２０は、直線、点、凹み点、凸点などであってもよく、マークとして使用しうるものは本考案に適用されうる。
さらに、上記は例示であり、本考案はこれらに限定されない。
【００２１】
図２Ａと図２Ｂを参照されたい。
図２Ａは、本考案の第３実施形態に係る計測スケール付き歯科用ハンドピースの模式的外観図である。
図２Ｂは、本考案の第４実施形態に係る計測スケール付き歯科用ハンドピースの模式的外観図である。
図２Ａに表れるように、第３実施形態は実質的に前述の第１実施形態で説明した歯科用ハンドピースに同様であるが、ハンドピースヘッド１０１上に配置された計測スケール２０がドリル１０４の向きに直交する方向である点が異なる。図２Ｂに表れるように、第４実施形態は、実質的に前述の第２実施形態で説明した歯科用ハンドピースに同様であるが、ハンドピースヘッド１０１上に配置された計測スケール２０が光線１０４'の向きに直交する方向である点が異なる。
【００２２】
図３Ａと３Ｂを参照されたい。
図３Ａは、本考案の第５実施形態に係る計測スケール付き歯科用ハンドピースの模式的外観図である。
図３Ｂは、本考案の第６実施形態に係る計測スケール付き歯科用ハンドピースの模式的外観図である。
図３Ａに表れるように、本考案は、計測スケール付き歯科用ハンドピース１を提供するものであり、計測スケール付き歯科用ハンドピース１は、ハンドピース本体部１０と少なくとも一つの計測スケール２０を備える。本考案のハンドピース本体部は、一般的な歯科用ハンドピースと同じであり、ハンドピースヘッド１０１と、連結部１０２と、歯科医が把持する保持部１０３と、を有する。さらに、ハンドピースヘッド１０１にドリル１０４が取り付けられ、ドリル１０４は、穴あけ、研削、さらには、歯槽骨の穴あけに使用される。連結部１０２は、ハンドピースヘッド１０１と保持部１０３とを連結するものである。
【００２３】
さらに、計測スケール２０がハンドピースヘッド１０１の表面に配置されている。計測スケール２０は、少なくとも一つの第１計測スケール２０１と少なくとも一つの第２計測スケール２０２とを有する。
第１計測スケール２０１と第２計測スケール２０２とは互いに直交する関係に配置されている。
ハンドピースヘッド１０１は、ガイドライン２０３を有し、ガイドライン２０３は、第１計測スケール２０１に平行であり、第２計測スケール２０２に直交する。それゆえ、歯科医は、第１計測スケール２０１と第２計測スケール２０２を参照し、歯槽骨の穴あけ深さや歯の研削の適切量を判断する。
【００２４】
図３Ｂに表れるように、第６実施形態は、実質的に前述の第５実施形態の歯科用ハンドピースと同様であるが、キャリブレーションヘッドが光線１０４'である点が異なる。
【００２５】
図４を参照されたい。
図４は、本考案の第７実施形態に係る計測を補助する歯科用ハンドピースの一使用例の例示である。
図４に表れるように、第４実施形態は、第５実施形態の歯科用ハンドピースに同様であるが、第２計測スケールがハンドピースヘッド１０１に設けられておらず、第１計測スケール２０１がハンドピースヘッド１０１の周回りに設けられ、これにより、穴あけや研削の術中において歯科医はより明瞭に第１計測スケール２０１を異なる方向から視認することができる。さらに、第３スケール１０４１がドリル１０４に設けられ、第３スケール１０４１は、ドリル１０４の周回りに配置され、第１計測スケール２０１に平行である。歯科医は、第３スケール１０４１に基づいて、歯槽骨の穴あけ深さや歯の研削の適切量を判断できる。
【００２６】
さらに、図４に表れるように、隣り合う第３スケール１０４１の間において少なくとも一つの第１直交方向間隔１０４２と、隣り合う第１計測スケール２０１の間において少なくとも一つの第２直交方向間隔２０１１と、が形成され、第１直交方向間隔１０４２と第２直交方向間隔２０１１とは対応している。すなわち、例えば、ドリル１０４のチップに近位する第１直交方向間隔１０４２の幅が、ハンドピースヘッド１０１上の第２直交方向間隔２０１１に一致する。また、隣接する第３スケール１０４１の間の第１直交方向間隔１０４２は互いに同じであるようにしてもよいし、隣接する第１計測スケール２０１の間の第２直交方向間隔２０１１は互いに同じであるようにしてもよい。あるいは、隣接する第３スケール１０４１の間の第１直交方向間隔１０４２は互いに異なるようにしてもよいし、隣接する第１計測スケール２０１の間の第２直交方向間隔２０１１は互いに異なるようにしてもよい。
【００２７】
図５を参照されたい。
図５は、本考案の第８実施形態に係る計測スケール付き歯科用ハンドピースの外観図である。
図５に表れるように、本考案の計測スケール付き歯科用ハンドピース１は、補助計測スケール３０を有する。
補助計測スケール３０は、ハンドピースヘッド１０１と連結部１０２との接続部から連結部１０２の長さの１０〜３０％までの範囲に配置されている。また、補助計測スケール３０は、第４計測スケール３０１と第５計測スケール３０２とを有し、第４計測スケール３０１と第５計測スケール３０２とは互いに直交する関係に配置されている。歯科治療において、血液、水、舌、隣の歯があるとしても、歯科医は、補助計測スケール３０としての第４計測スケール３０１と第５計測スケール３０２とにより、歯槽骨の穴あけ深さを適切に判断できる。さらに、図５において、計測スケール２０は、第１計測スケール２０１と第２計測スケール２０２とを有し、図５の第１計測スケール２０１は、ハンドピースヘッド１０１の周回りに配置されていた図３Ｂの第１計測スケール２０１とは配置がやや異なっている。（図５の第１計測スケール２０１は、周回りに一周ぐるりと連続する線ではなくて、断続的な短線である。）
【００２８】
図６Ａと図６Ｂを参照されたい。
図６Ａは、本考案の第９実施形態として、計測を補助する計測スケール付き歯科用ハンドピースの第１計測スケールの模式的な例示である。
図６Ｂは、本考案の第１０実施形態として、計測を補助する計測スケール付き歯科用ハンドピースの第１計測スケールの模式的な例示である。
図６Ａに表れるように、第９実施形態の実質的構成は第２実施形態の計測スケール付き歯科用ハンドピースに同様であるが、第１計測スケール２０１がハンドピースヘッド１０１の表面に凸状に設けられている点で異なる。歯科医が穴あけの術中において、患者の口腔内に血液や水があり、第１計測スケール２０１や第２計測スケール２０２に血液や水がかかることがある。そこで、第１計測スケール２０１がハンドピースヘッド１０１の表面に凸状に設けられていることにより、歯科医は穴あけ術中において様々な角度から第１計測スケール２０１が凸になっているところを視認でき、これにより歯科医の穴あけ作業を適切にサポートできる。
【００２９】
図６Ｂに表れるように、第１０実施形態の実質的構成は第２実施形態の計測スケール付き歯科用ハンドピースに同様であるが、第１計測スケール２０１がハンドピースヘッド１０１の表面に凹状に設けられている点で異なる。歯科医が穴あけの術中において、第１計測スケール２０１や第２計測スケール２０２に血液や水がかかることがある。この点、第１計測スケール２０１は平坦ではなく、多くの凹部に形成されている。それゆえ、光の反射が抑えられ、第１計測スケール２０１はより明瞭に視認でき、歯槽骨の穴あけ深さの判定を適切に補助することができる。
【００３０】
図７Ａを参照されたい。
図７Ａは、本考案の第１１実施形態に係る計測スケール付き歯科用ハンドピースの上面図である。
図７Ｂは、本考案の第１２実施形態に係る計測スケール付き歯科用ハンドピースの上面図である。
図７Ａに表れるように、第１１実施形態は実質的に第１実施形態で説明した歯科用ハンドピースと同様であるが、ハンドピースヘッド１０１の上面に計測スケール２０は配置されている点で異なる。
計測スケール２０は、第１計測スケール２０１と第２計測スケール２０２とを有する。第１計測スケール２０１と第２計測スケール２０２とは互いに直交する関係である。図７Ｂに表れるように、第１２実施形態は実質的に第２実施形態で説明した歯科用ハンドピースと同様であるが、連結部１０２の上面に補助計測スケール３０が配置されている点で異なる。歯科術中において、ハンドピースヘッド１０１上の第１計測スケール２０１や第２計測スケール２０２に血液や水がかかることがあるが、歯科医は補助計測スケール３０の第３計測スケール３０１および第４計測スケール３０２により、歯槽骨の穴あけ深さを適切に判断できる。
【００３１】
ここまで詳細な説明のために特定の実施形態を参照しながら説明してきたが、上記実施形態は、本考案の開示の重要点あるいは本考案の実施に最も適切な説明のために選ばれ、説明されたものであり、これにより、当業者であれば、上記実施形態の開示説明を最善に利用し特別な使用形態のための種々の変形例を利用できるであろう。
上記説明した実施形態や添付の図面は例示であり、本考案の権利範囲が限定的に解釈されるべきことを意図するものではない。上記説明の示唆から得られる変更、変形例は本考案に含まれる。
【符号の説明】
【００３２】
１    計測スケール付き歯科用ハンドピース
１０    ハンドピース本体部
１０１    ハンドピースヘッド
１０２    連結部
１０３    保持部
１０４    ドリル
１０４'    光線
１０４１    第３スケール
１０４２    第１直交方向間隔
２０    計測スケール
２０１    第１計測スケール
２０２    第２計測スケール
２０３    ガイドライン
２０１１    第２直交方向間隔
３０    補助計測スケール
３０１    第４計測スケール
３０２    第５計測スケール
【図１Ａ】
0003233684.tif 000003
【図１Ｂ】
0003233684.tif 000004
【図２Ａ】
0003233684.tif 000005
【図２Ｂ】
0003233684.tif 000006
【図３Ａ】
0003233684.tif 000007
【図３Ｂ】
0003233684.tif 000008
【図４】
0003233684.tif 000009
【図５】
0003233684.tif 000010
【図６Ａ】
0003233684.tif 000011
【図６Ｂ】
0003233684.tif 000012
【図７Ａ】
0003233684.tif 000013
【図７Ｂ】
0003233684.tif 000014